(57)【要約】【課題】環境上の制約を有するコンテンツ再生制御装置においても、可搬型記録媒体に固定されたコンテンツ情報に更新情報を反映させることを課題とする。【解決手段】マルチドライブ４に装填された、再生用記録媒体としてのＢＤ４１から読み出されたコンテンツ情報に基づいてコンテンツの再生を制御するＢＤ再生制御部２３と、マルチドライブ４に装填された、更新用記録媒体としてのＣＤ−Ｒ４２から読み出された更新情報をＨＤＤ１３に記録する更新情報記録部２９と、マルチドライブ４に装填されたＢＤ４１に記録されたコンテンツ情報を更新するための更新情報が更新情報記録部２９によって予めＨＤＤ１３に記録されている場合にコンテンツ情報を更新する更新部２２と、を備え、ＢＤ再生制御部２３は、更新情報が予めＨＤＤ１３に記録されている場合、更新済コンテンツ情報に基づいてコンテンツの再生を制御する、コンテンツ再生制御装置とした。【選択図】図５
2010244654.tif 000002
【特許請求の範囲】
【請求項１】
可搬型記録媒体の読取装置、および記憶装置に接続されるコンテンツ再生制御装置であって、
前記読取装置に装填された前記可搬型記録媒体が、コンテンツ情報が記録された再生用記録媒体である場合に、前記読取装置によって読み出された該コンテンツ情報に基づいてコンテンツの再生を制御する再生制御手段と、
前記読取装置に装填された前記可搬型記録媒体が、前記コンテンツ情報を更新するための更新情報が記録された更新用記録媒体である場合に、前記読取装置によって読み出された該更新情報を、前記記憶装置に記録する更新情報記録手段と、
前記読取装置に装填された再生用記録媒体に記録された前記コンテンツ情報を更新するための前記更新情報が、前記更新情報記録手段によって予め前記記憶装置に記録されている場合、該更新情報を用いて、前記読取装置によって読み出された前記コンテンツ情報を更新する更新手段と、を備え、
前記再生制御手段は、前記更新情報が予め前記記憶装置に記録されている場合、前記更新手段によって更新された更新済コンテンツ情報に基づいて、コンテンツの再生を制御する、コンテンツ再生制御装置。
【請求項２】
前記更新情報記録手段は、前記読取装置によって読み出された更新情報を、該更新情報に対応するコンテンツ情報を識別可能な識別情報と関連づけて前記記憶装置に記録し、
前記更新手段は、前記読取装置に装填された再生用記録媒体に記録された前記コンテンツ情報に対応する識別情報に関連付けられた更新情報が、予め前記記憶装置に記録されている場合に、該更新情報を用いて、前記読取装置によって読み出された前記コンテンツ情報を更新する、
請求項１に記載のコンテンツ再生制御装置。
【請求項３】
前記読取装置に装填された前記更新用記録媒体に記録されている更新情報の一覧、および前記記憶装置に予め記録されている更新情報の一覧のうち少なくとも何れかをユーザに対して出力する更新情報一覧出力手段と、
出力された更新情報の一覧に含まれる更新情報のうち、ユーザに選択された更新情報を示す情報を受け付ける選択情報受付手段と、を更に備え、
前記更新情報記録手段は、前記選択情報受付手段によって受け付けられた、ユーザに選択された更新情報を、前記記憶装置への記録または置き換えの対象とする、
請求項１または２に記載のコンテンツ再生制御装置。
【請求項４】
前記更新用記録媒体に記録されている更新情報と同一のコンテンツ情報に対応する更新情報が、前記記憶装置に既に記録されているか否かを判定する更新情報判定手段を更に備え、
前記更新情報記録手段は、前記更新情報判定手段によって前記対応する更新情報が前記記憶装置に既に記録されていると判定され、且つ前記更新用記録媒体に記録されている更新情報が、前記記憶装置に既に記録されている更新情報よりも新しい更新情報である場合に、前記更新用記録媒体から読み出された更新情報で、該記憶装置に既に記録されている更新情報を置き換えるように記録する、
請求項１から３の何れか一項に記載のコンテンツ再生制御装置。
【請求項５】
前記更新用記録媒体に記録されている更新情報と同一のコンテンツ情報に対応する更新情報が、前記記憶装置に既に記録されているか否かを判定する更新情報判定手段を更に備え、
前記更新情報記録手段は、前記更新情報判定手段によって前記対応する更新情報が前記記憶装置に記録されていないと判定された場合に、前記読取装置によって読み出された該
更新情報を、前記記憶装置に記録する、
請求項１から３の何れか一項に記載のコンテンツ再生制御装置。
【請求項６】
前記読取装置は、複数種類の可搬型記録媒体を読取可能な読取装置であり、
前記更新用記録媒体は、前記再生用記録媒体と異なる種類の可搬型記録媒体である、
請求項１から５の何れか一項に記載のコンテンツ再生制御装置。
【請求項７】
可搬型記録媒体の読取装置、および記憶装置に接続されるコンピュータによって、
前記読取装置に装填された前記可搬型記録媒体が、コンテンツ情報が記録された再生用記録媒体である場合に、前記読取装置によって読み出された該コンテンツ情報に基づいてコンテンツの再生を制御する再生制御ステップと、
前記読取装置に装填された前記可搬型記録媒体が、前記コンテンツ情報を更新するための更新情報が記録された更新用記録媒体である場合に、前記読取装置によって読み出された該更新情報を、前記記憶装置に記録する更新情報記録ステップと、
前記読取装置に装填された再生用記録媒体に記録された前記コンテンツ情報を更新するための前記更新情報が、前記更新情報記録ステップで予め前記記憶装置に記録されている場合、該更新情報を用いて、前記読取装置によって読み出された前記コンテンツ情報を更新する更新ステップと、が実行され、
前記再生制御ステップでは、前記更新情報が予め前記記憶装置に記録されている場合、前記更新ステップで更新された更新済コンテンツ情報に基づいて、コンテンツの再生が制御される、コンテンツ再生制御方法。
【請求項８】
可搬型記録媒体の読取装置、および記憶装置に接続されるコンピュータによって実行されることで、該コンピュータを、
前記読取装置に装填された前記可搬型記録媒体が、コンテンツ情報が記録された再生用記録媒体である場合に、前記読取装置によって読み出された該コンテンツ情報に基づいてコンテンツの再生を制御する再生制御手段と、
前記読取装置に装填された前記可搬型記録媒体が、前記コンテンツ情報を更新するための更新情報が記録された更新用記録媒体である場合に、前記読取装置によって読み出された該更新情報を、前記記憶装置に記録する更新情報記録手段と、
前記読取装置に装填された再生用記録媒体に記録された前記コンテンツ情報を更新するための前記更新情報が、前記更新情報記録手段によって予め前記記憶装置に記録されている場合、該更新情報を用いて、前記読取装置によって読み出された前記コンテンツ情報を更新する更新手段と、として機能させ、
前記再生制御手段は、前記更新情報が予め前記記憶装置に記録されている場合、前記更新手段によって更新された更新済コンテンツ情報に基づいて、コンテンツの再生を制御する、コンテンツ再生制御プログラム。
【発明の詳細な説明】
【技術分野】
【０００１】
本発明は、可搬型記録媒体に記録されたコンテンツの再生制御に関する。
【背景技術】
【０００２】
従来、可搬型のＲＯＭ媒体に記録されたメインコンテンツを再生する場合に、インターネットを介してダウンロードしたサブコンテンツをメモリカードに記録し、このメモリカードからサブコンテンツを読み出す技術が提案されている（特許文献１を参照）。また、旧地図ファイルと新地図ファイル間の差分データを、ナビゲーション装置が使用されるエリア毎に、且つ各エリアにおいてデータが更新されたバージョン毎に、更新用ディスクを用いて提供する技術がある（特許文献２を参照）。
【先行技術文献】
【特許文献】
【０００３】
【特許文献１】国際公開ＷＯ  ２００４／０６４０６３  Ａ１
【特許文献２】特開２００７−２７９４８８号公報
【発明の概要】
【発明が解決しようとする課題】
【０００４】
従来、ディスク製作者から製品として提供されるＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスクに記録されたコンテンツ情報（ディスク制作者の意図に基づく音声、映像および字幕等の情報）を、ディスクの作成後に更新することは困難であった。特に、ディスクが、コンテンツ情報の変更または追記が出来ないようにコンテンツ情報が固定されている記録媒体である場合には、ディスクに固定された情報の更新を行うことは出来ない。このため、ＣＤやＤＶＤ等を製造して提供されるコンテンツに対して更新を行う場合には、ディスク製作者が新たな原盤作成とプレスを行い、市場に再リリースする必要がある。
【０００５】
ここで、近年登場したＢｌｕ−ｒａｙ  Ｄｉｓｃ（登録商標。以下、「ＢＤ」と称する）用のコンテンツ再生装置では、ディスク製作者によってサーバ等にアップロードされた、ＢＤに固定されたコンテンツ情報を更新するための更新情報を、インターネット等のネットワークを介して取得する機能を備えることが出来る。このため、このようなコンテンツ再生装置は、ユーザが所有しているＢＤ（以下、オリジナルディスクとも称する）に固定されたコンテンツ情報を、該コンテンツ情報に更新情報を反映した上で再生することが出来る。
【０００６】
図１から図３は、ＢＤの再生において行われている、ディスクに固定されたコンテンツに対して更新情報を反映させる具体的な方法を示す図である。図１に示された例では、ディスク製作者が提供する更新情報がインターネットを介してダウンロードされてコンテンツ再生装置内の記憶装置に格納され、ＢＤ（オリジナルディスク）の再生時にディスクから読み出されたコンテンツ情報に更新情報を反映した上でコンテンツの再生が行われる。また、図２および図３に示すように、更新情報が記録される記憶装置として、コンテンツ再生装置から着脱可能な記憶装置を採用し、他のコンテンツ再生装置から更新情報を移動させたり、複数の記憶装置（図３に示した例では、記憶装置ＡからＣ）を交換したりすることとしてもよい。
【０００７】
しかし、コンテンツ再生装置にこのような機能を備えるにあたっては、設置スペースやコスト等が問題となることがある。このため、コンテンツ再生装置にこのような機能を備
えるにあたって、ネットワーク経由で更新情報をダウンロードするための接続インターフェースや、着脱可能な記憶装置等、更新情報の取得のために必要な機能を搭載することが困難となる場合がある。特に、車載用のコンテンツ再生装置は、装置を大型化することや記憶装置の着脱機能を備えることが困難であるという問題の他に、携帯電話網等の無線ネットワークを介してサーバ等へ接続する必要があることから、ネットワークへの接続コストの問題がある。このため、従来、車載用のコンテンツ再生装置において、オリジナルディスクに固定されたコンテンツ情報の更新を行うための更新情報を取得することが困難であった。
【０００８】
本発明は、上記した問題に鑑み、設置スペースやネットワーク接続環境等、環境上の制約を有するコンテンツ再生制御装置においても、可搬型記録媒体に固定されたコンテンツ情報に更新情報を反映させることを課題とする。
【課題を解決するための手段】
【０００９】
本発明は、上記した課題を解決するために、コンテンツ再生制御装置に接続される、再生用記録媒体から情報を読み出すための読取装置を用いて、更新用記録媒体から更新情報を読み出して予め記憶装置に記録することで、再生用記録媒体からのコンテンツの再生時に更新情報を反映させることを可能にした。
【００１０】
詳細には、本発明は、可搬型記録媒体の読取装置、および記憶装置に接続されるコンテンツ再生制御装置であって、前記読取装置に装填された前記可搬型記録媒体が、コンテンツ情報が記録された再生用記録媒体である場合に、前記読取装置によって読み出された該コンテンツ情報に基づいてコンテンツの再生を制御する再生制御手段と、前記読取装置に装填された前記可搬型記録媒体が、前記コンテンツ情報を更新するための更新情報が記録された更新用記録媒体である場合に、前記読取装置によって読み出された該更新情報を、前記記憶装置に記録する更新情報記録手段と、前記読取装置に装填された再生用記録媒体に記録された前記コンテンツ情報を更新するための前記更新情報が、前記更新情報記録手段によって予め前記記憶装置に記録されている場合、該更新情報を用いて、前記読取装置によって読み出された前記コンテンツ情報を更新する更新手段と、を備え、前記再生制御手段は、前記更新情報が予め前記記憶装置に記録されている場合、前記更新手段によって更新された更新済コンテンツ情報に基づいて、コンテンツの再生を制御する、コンテンツ再生制御装置である。
【００１１】
本発明に係るコンテンツ再生制御装置は、装填された可搬型記録媒体（例えばＢＤ）からデータを読み出す読取装置によって読み出されたコンテンツ情報に基づいて、映像および音響のうち少なくとも何れかを含むコンテンツの再生を行うためのコンテンツ再生制御装置である。
【００１２】
ここで、読取装置に装填された可搬型記録媒体が、コンテンツ情報が記録された再生用記録媒体である場合、本発明に係るコンテンツ再生制御装置は、該記録媒体からコンテンツ情報を読み出してコンテンツの再生を再開するが、読取装置に装填された可搬型記録媒体が、再生用記録媒体に記録されたコンテンツ情報を更新するための更新用記録媒体である場合、本発明に係るコンテンツ再生制御装置は、該記録媒体から更新情報を読み出して、記憶装置に記録する点で特徴を有する。このようにすることで、以降、対応する再生用記録媒体が読取装置に装填されて再生される場合に、予め記憶装置に記録されている更新情報が適用される。
【００１３】
即ち、本発明によれば、サーバから更新情報をダウンロードするためのネットワークインターフェースや、更新情報が記録された記憶装置の着脱機能（例えば、メモリカード用スロット）等を備えないようなコンテンツ再生制御装置であっても、可搬型記録媒体に固
定されたコンテンツ情報に更新情報を反映させることが出来る。
【００１４】
なお、再生用記録媒体と更新用記録媒体とは、同一種類の記録媒体（例えば、双方ともＢＤ）であってもよいが、前記読取装置は、複数種類の可搬型記録媒体を読取可能な読取装置であり、前記更新用記録媒体は、前記再生用記録媒体と異なる種類の可搬型記録媒体であってもよい。例えば、再生用記録媒体がＢＤであり、更新用記録媒体がＣＤ−Ｒ（Ｃｏｍｐａｃｔ  Ｄｉｓｃ−Ｒｅｃｏｒｄａｂｌｅ）であってもよい。
【００１５】
なお、複数の再生用記録媒体に対応する更新情報を蓄積し、且つ再生用記録媒体に記録されたコンテンツの再生時に適切な更新情報を選択して適用するために、更新情報は、対応するコンテンツ情報を識別可能な識別情報と関連付けて記録されることが好ましい。即ち、前記更新情報記録手段は、前記読取装置によって読み出された更新情報を、該更新情報に対応するコンテンツ情報を識別可能な識別情報と関連づけて前記記憶装置に記録し、前記更新手段は、前記読取装置に装填された再生用記録媒体に記録された前記コンテンツ情報に対応する識別情報に関連付けられた更新情報が、予め前記記憶装置に記録されている場合に、該更新情報を用いて、前記読取装置によって読み出された前記コンテンツ情報を更新してもよい。
【００１６】
即ち、本発明において、更新情報は、コンテンツ単位や再生用記録媒体単位等、コンテンツ情報と結びつけ可能な単位で取り扱われる。なお、識別情報は、更新情報が適用されるコンテンツ情報を特定可能な情報であればよく、コンテンツ情報自体を識別するための識別情報であってもよいし、コンテンツ情報が記録された再生用記録媒体を識別するための識別情報であってもよい。即ち、本発明によれば、更新情報の欠落や無関係の情報の混入を防止し、コンテンツ情報に反映される更新情報の完全性およびコンテンツ更新機能の品質を保証することが出来る。
【００１７】
また、本発明に係るコンテンツ再生制御装置は、前記読取装置に装填された前記更新用記録媒体に記録されている更新情報の一覧、および前記記憶装置に予め記録されている更新情報の一覧のうち少なくとも何れかをユーザに対して出力する更新情報一覧出力手段と、出力された更新情報の一覧に含まれる更新情報のうち、ユーザに選択された更新情報を示す情報を受け付ける選択情報受付手段と、を更に備え、前記更新情報記録手段は、前記選択情報受付手段によって受け付けられた、ユーザに選択された更新情報を、前記記憶装置への記録または置き換えの対象としてもよい。
【００１８】
更新情報の一覧を出力し、出力された一覧からユーザに選択された更新情報を、記憶装置への記録または置き換えの対象とすることで、ユーザの自由な意図に従って更新情報の適用または非適用を選択させることが出来る。
【００１９】
また、本発明に係るコンテンツ再生制御装置は、前記更新用記録媒体に記録されている更新情報と同一のコンテンツ情報に対応する更新情報が、前記記憶装置に既に記録されているか否かを判定する更新情報判定手段を更に備え、前記更新情報記録手段は、前記更新情報判定手段によって前記対応する更新情報が前記記憶装置に既に記録されていると判定され、且つ前記更新用記録媒体に記録されている更新情報が、前記記憶装置に既に記録されている更新情報よりも新しい更新情報である場合に、前記更新用記録媒体から読み出された更新情報で、該記憶装置に既に記録されている更新情報を置き換えるように記録してもよい。
【００２０】
このようにすることで、既に更新情報が記憶装置に記録されている状態で、この更新情報と同一のコンテンツ情報に適用される更新情報を含む更新用記録媒体が読取装置に装填された場合に、記憶装置に記録されている更新情報を適切に更新し、自動的に最新の状態
に保つことが出来る。
【００２１】
また、本発明に係るコンテンツ再生制御装置は、前記更新用記録媒体に記録されている更新情報と同一のコンテンツ情報に対応する更新情報が、前記記憶装置に既に記録されているか否かを判定する更新情報判定手段を更に備え、前記更新情報記録手段は、前記更新情報判定手段によって前記対応する更新情報が前記記憶装置に記録されていないと判定された場合に、前記読取装置によって読み出された該更新情報を、前記記憶装置に記録してもよい。
【００２２】
このようにすることで、更新用記録媒体が読取装置に装填された場合に、この更新用記録媒体に含まれる更新情報が既に記憶装置に記録されているか否かを判定し、記録されていない場合には、自動的に未取得の更新情報を記憶装置に記録することが出来る。
【００２３】
更に、本発明は、コンテンツ再生制御方法、制御プログラム、およびこの制御プログラムが記録されたコンピュータ読み取り可能な記録媒体の発明としても把握することが可能である。
【発明の効果】
【００２４】
本発明によれば、設置スペースやコスト等、環境上の制約を有するコンテンツ再生制御装置においても、可搬型記録媒体に固定されたコンテンツ情報に更新情報を反映させることが可能となる。
【図面の簡単な説明】
【００２５】
【図１】従来の、ディスクに固定されたコンテンツに対して更新情報を反映させる具体的な方法を示す図である。
【図２】従来の、ディスクに固定されたコンテンツに対して更新情報を反映させる具体的な方法を示す図である。
【図３】従来の、ディスクに固定されたコンテンツに対して更新情報を反映させる具体的な方法を示す図である。
【図４】実施形態に係るコンテンツ再生制御システムのハードウェア構成の概略を示す図である。
【図５】実施形態に係るコンテンツ再生制御システムの機能構成の概略を示す図である。
【図６】実施形態に係る更新情報の構成を示す図である。
【図７】実施形態に係るコンテンツ再生制御システムに更新情報を取り込み、取り込まれた更新情報が反映されたコンテンツを再生する方法の全体の流れを示す図である。
【図８】実施形態に係る、更新情報記録処理の流れを示すフローチャートである。
【図９】実施形態に係る、再生処理の流れを示すフローチャートである。
【図１０】図８のフローチャートに示された処理に代えて実行されてよい、本実施形態に係る更新情報記録処理の流れを示すフローチャートである。
【発明を実施するための形態】
【００２６】
以下、本発明に係るコンテンツ再生制御装置を備えたコンテンツ再生制御システムの実施の形態について、図面に基づいて説明する。なお、本実施形態では、コンテンツ再生制御システムを車載機として実施した場合について説明する。但し、コンテンツ再生制御システムは、車載機の他、屋内、屋外に設置されて使用されるコンテンツ再生制御システム、携帯機等、様々な用途に用いられてよい。
【００２７】
図４は、本実施形態に係るコンテンツ再生制御システムのハードウェア構成の概略を示す図である。本実施形態に係るコンテンツ再生制御システム１は、ＲＡＭ（Ｒａｎｄｏｍ
Ａｃｃｅｓｓ  Ｍｅｍｏｒｙ）１２、ＲＯＭ（Ｒｅａｄ  Ｏｎｌｙ  Ｍｅｍｏｒｙ）１４、ＲＡＭ１２等に展開された命令及びデータを処理することでシステム全体を制御するＣＰＵ（Ｃｅｎｔｒａｌ  Ｐｒｏｃｅｓｓｉｎｇ  Ｕｎｉｔ）１１、ＲＡＭ１２にロードされる各種プログラム等システムによって使用される各種データが記憶されるＨＤＤ（Ｈａｒｄ  Ｄｉｓｋ  Ｄｒｉｖｅ）１３、デコーダ（Ｄｉｇｉｔａｌ  Ｓｉｇｎａｌ  Ｐｒｏｃｅｓｓｏｒ）１５、デコーダ１５から渡されたデジタル信号をアナログ信号へ変換するＤ／Ａ変換器１６、増幅器１７、タッチパネルディスプレイ２、スピーカ３、マルチドライブ４、デジタルＴＶチューナ５、ＡＭ／ＦＭチューナ６等を有し、これらはバス等を介して電気的に接続されている。
【００２８】
本実施形態に係るコンテンツ再生制御システム１は、マルチドライブ４に装填された各種のディスクや、デジタルＴＶチューナ５、ＡＭ／ＦＭチューナ６、ＨＤＤ１３等の複数の媒体のうち、選択された媒体から取得されたデータに基づいて映像信号および音響信号を生成し、タッチパネルディスプレイ２やスピーカ３を介して再生することが出来るコンテンツ再生制御システム１である。
【００２９】
マルチドライブ４は、ＣＤ、ＤＶＤ、ＢＤ等の複数の規格のディスク（記録媒体）を装填および読み取り可能な光学ディスクドライブである。本実施形態に係るシステムでは、マルチドライブ４に装填されたＢＤ４１等のディスクから読み出された情報はデコーダ１５へ送られる。デコーダ１５は、読み出された情報に基づいて映像信号および音響信号を生成する。そして、デコーダ１５によって生成された映像信号および音響信号をタッチパネルディスプレイ２およびスピーカ３へ出力することで、コンテンツ再生制御システム１は、映像および音響の再生を行う。
【００３０】
また、本実施形態では、ディスクを挿入するためのスロットにディスクが途中まで挿入されると、マルチドライブ４に備えられたディスク取り込み機構により自動的にディスクが取り込まれることで、ディスクの装填が行われる。また、ディスクの排出を指示する信号がマルチドライブ４に与えられると、マルチドライブ４は、備えられたディスク排出機構により自動的にディスクをスロットから排出し、これによってディスクの除去が行われる。即ち、本実施形態に係るマルチドライブ４は、所謂スロットローディング方式のマルチドライブ４である。但し、マルチドライブ４において採用されるディスクの装填／排出方式は、ディスクの装填操作および排出操作を検知することが可能なものであればよく、上記説明したようなスロットローディング方式に限られない。
【００３１】
なお、本実施形態では、ディスクから読み出された情報に基づく映像信号および音響信号は、所謂ＤＳＰ（Ｄｉｇｉｔａｌ  Ｓｉｇｎａｌ  Ｐｒｏｃｅｓｓｏｒ）等であるデコーダ１５によって生成されるが、デコード処理は、ＲＡＭ１２等に展開されたデコードプログラムを実行するＣＰＵ１１によって行われてもよい。また、ディスクから読み出された情報に基づく映像信号の処理および音響信号の処理は、一のプロセッサによって処理されてもよいし、夫々異なる専用のプロセッサによって処理されてもよい。
【００３２】
タッチパネルディスプレイ２は、本システムにおける、ユーザに対する入出力装置（ユーザインターフェース）であり、ＣＰＵ１１によって制御されることで、ユーザに何らかの情報を通知する画像を表示し、またユーザによる画像表示部分への接触操作を検出することで、ユーザ操作を受け付ける。なお、コンテンツ再生制御システム１は、タッチパネルディスプレイ２への接触操作の他に、システム１に設けられた各種ボタン等（図示は省略する）によっても、ユーザによる操作を受け付ける。タッチパネルディスプレイ２やボタン等を介して入力された内容はＲＡＭ１２に記録され、ＣＰＵ１１によって処理される。また、本システムによるユーザへの通知等は、スピーカ３を介して音響出力されてもよい。
【００３３】
図５は、本実施形態に係るコンテンツ再生制御システム１の機能構成の概略を示す図である。本実施形態に係るシステムは、ＲＡＭ１２又はＲＯＭ１４に展開されたコンテンツ再生制御プログラムをＣＰＵ１１が解釈及び実行することで、装填／排出検知部３４と、ディスク判定部２１と、ＢＤ再生制御部２３と、更新情報記録部２９と、更新部２２と、更新情報一覧出力部３２と、選択情報受付部３３と、更新情報判定部３１と、ＤＶＤ再生制御部２４と、ＣＤ再生制御部２５と、デジタルＴＶ再生制御部２６と、ＡＭ／ＦＭ再生制御部２７と、ナビゲーション再生制御部２８と、映像出力部３５と、音響出力部３６と、を備えるコンテンツ再生制御システム１として機能する。
【００３４】
ここで、装填／排出検知部３４は、マルチドライブ４におけるディスクの装填および排出（除去）を検知し、ディスク判定部２１は、マルチドライブ４に装填されたディスクの種類を判定する。また、ＢＤ再生制御部２３は、マルチドライブ４にＢＤ４１が装填された場合に、ＢＤ４１から読み出されたコンテンツ情報に基づいてコンテンツの再生を制御する。なお、ＢＤ再生制御部２３は、更新情報が予めＨＤＤ１３に記録されている場合、更新部２２によって更新された更新済コンテンツ情報に基づいて、コンテンツの再生を制御する。
【００３５】
その他、本実施形態に係るコンテンツ再生制御システム１において、ＤＶＤ再生制御部２４は、マルチドライブ４にＤＶＤが装填された場合に、このＤＶＤに記録されたコンテンツ情報に基づくコンテンツの再生を制御し、ＣＤ再生制御部２５は、マルチドライブ４にＣＤが装填された場合に、このＣＤに記録されたコンテンツ情報に基づくコンテンツの再生を制御し、デジタルＴＶ再生制御部２６は、デジタルＴＶチューナ５から得られたコンテンツ情報に基づくコンテンツの再生を制御し、ＡＭ／ＦＭ再生制御部２７は、ＡＭ／ＦＭチューナ６から得られたコンテンツ情報に基づくコンテンツの再生を制御し、ナビゲーション再生制御部２８は、ＧＰＳ（Ｇｌｏｂａｌ  Ｐｏｓｉｔｉｏｎｉｎｇ  Ｓｙｓｔｅｍ）やその他の車載センサによる検出結果基づいて車両の現在位置を把握し、ＨＤＤ１３等から読み出された地図情報に基づくナビゲーションの再生を制御する。
【００３６】
また、ＢＤの再生に関連する機能として、更新情報判定部３１は、ＣＤ−Ｒ４２に記録されている更新情報と同一のコンテンツ情報に対応する更新情報が、ＨＤＤ１３に既に記録されているか否かを判定し、更新情報記録部２９は、マルチドライブ４に更新情報が記録されたＣＤ−Ｒ４２が装填された場合に、ＣＤ−Ｒ４２から読み出された更新情報をＨＤＤ１３に記録し、更新部２２は、マルチドライブ４に装填されたＢＤ４１に記録されたコンテンツ情報に対応する識別情報に関連付けられた更新情報が、予めＨＤＤ１３に記録されている場合に、この更新情報を用いて、マルチドライブ４によって読み出されたコンテンツ情報を更新する。更に、更新情報一覧出力部３２は、マルチドライブ４に装填されたＣＤ−Ｒ４２に記録されている更新情報の一覧、およびＨＤＤ１３に予め記録されている更新情報の一覧のうち少なくとも何れかをユーザに対して出力し、選択情報受付部３３は、出力された更新情報の一覧に含まれる更新情報のうち、ユーザに選択された更新情報を示す情報を受け付ける。
【００３７】
ここで、更新情報記録部２９は、マルチドライブ４によって読み出された更新情報を、対応するコンテンツ情報を識別可能な識別情報と関連づけてＨＤＤ１３に記録することで、更新部２２が、装填されたＢＤ４１のコンテンツに対応する更新情報をＨＤＤ１３から索出することを可能としている。
【００３８】
図６は、本実施形態に係る更新情報の構成を示す図である。更新情報には、少なくとも、オリジナルのＢＤに記録されているコンテンツの更新に必要な、映像、音声、字幕等の情報を含む情報ファイルと、コンテンツ情報に基づくコンテンツを再生する際に、ＢＤ４
１側のコンテンツ情報を更新情報で更新するための結合ルールを記述した結合ルール記述ファイルと、が含まれる。更新情報記録部２９は、このようなファイルを含む更新情報を、関連するコンテンツ情報またはＢＤ４１を識別可能な識別情報を有するフォルダに格納した状態で、ＨＤＤ１３に記録する。フォルダに、関連するコンテンツ情報またはＢＤ４１の識別情報を付する方法としては、フォルダの名称を、ＢＤ４１やコンテンツ情報の識別情報とする方法が採用されてよい。但し、識別情報は、フォルダのメタデータとして保存されるなど、その他の方法でフォルダに関連付けられてもよい。
【００３９】
図７は、本実施形態に係るコンテンツ再生制御システム１に更新情報を取り込み、取り込まれた更新情報が反映されたコンテンツを再生する方法の全体の流れを示す図である。はじめに、ユーザは、ＰＣ（Ｐｅｒｓｏｎａｌ  Ｃｏｍｐｕｔｅｒ）をインターネット経由でサーバに接続し、更新情報をダウンロードする。接続されるサーバには、ＢＤのタイトル毎に、識別情報と関連付けられた更新情報が保存されている。ユーザは、サーバに保存されている更新情報のうち、所望のＢＤタイトルに係る更新情報をダウンロードし、ＰＣに接続されたディスクドライブを用いて、この更新情報が記録されたＣＤ−Ｒを作成する。
【００４０】
その後、作成されたＣＤ−Ｒを、ユーザはＰＣに接続されたディスクドライブから取り出し、コンテンツ再生制御システム１に接続されたマルチドライブ４に装填する。マルチドライブ４は、ＣＤ−Ｒ４２に記録された更新情報を読み出し、コンテンツ再生制御システム１の更新情報記録部２９は、読み出された更新情報を、この更新情報が適用されるコンテンツを識別可能な情報と関連付けてＨＤＤ１３に記録する。なお、本実施形態では、更新情報が記録されるディスクとしてＣＤ−Ｒ４２を挙げているが、更新情報が記録されるディスクは、ＣＤ−Ｒ以外の規格のディスクであってもよい。例えば、ユーザがＰＣ等を用いて更新用記録媒体を作成する場合には、ＤＶＤ−Ｒ（Ｄｉｇｉｔａｌ  Ｖｅｒｓａｔｉｌｅ  Ｄｉｓｃ  Ｒｅｃｏｒｄａｂｌｅ）やＢＤ−Ｒ（Ｂｌｕ−ｒａｙ  Ｄｉｓｃ  Ｒｅｃｏｒｄａｂｌｅ）等の追記型ディスクが用いられてもよいし、更新用記録媒体がオリジナルディスクの製作者から提供される場合には、ＤＶＤやＢＤ等の追記型でないディスクが用いられてもよい。
【００４１】
ＣＤ−Ｒ４２は、更新情報がＨＤＤ１３に記録された後、マルチドライブ４から排出される（図７の（ｂ）を参照）。なお、ディスクの排出は、ユーザによる排出指示操作を受けて行われてもよいが、ＣＤ−Ｒ４２に記録されている更新情報の記録が終了したことを受けて、コンテンツ再生制御システム１からマルチドライブ４に対して排出指示を発行することで、自動的に行われてもよい。
【００４２】
ＣＤ−Ｒ４２が排出された後、ユーザはＢＤ４１をマルチドライブ４に装填する（図７の（ｃ）を参照）。コンテンツ再生制御システム１は、装填されたＢＤ４１から読み出されたコンテンツ情報に、予めＨＤＤ１３に記録された更新情報を反映することで、更新済みのコンテンツを再生する。即ち、本実施形態に係るコンテンツ再生制御システム１によれば、コンテンツ再生制御システム１自体に、サーバへの接続機能や、メモリカードスロット等を備えることなく、ディスクに記録されているコンテンツを再生するための必須の構成であるディスクドライブ（本実施形態では、マルチドライブ４）を用いて更新情報を取り込み、コンテンツの更新を行うことが出来る。
【００４３】
以下、フローチャートを用いて、本実施形態における更新情報記録処理の内容を説明する。図８は、本実施形態に係る、更新情報記録処理の流れを示すフローチャートである。本フローチャートに示された処理は、装填／排出検知部３４によってマルチドライブ４へのディスク装填が検知されたことを契機として開始される。なお、本発明に係る処理の順序は、実施の形態に応じて適宜組み合わせを変更することが可能であり、処理順序は、以
下に示された例に限られない。
【００４４】
ステップＳ１０１では、装填されたディスクの種類が判定される。ディスク判定部２１は、マルチドライブ４から、装填されたディスクの種別、およびディスクに記録されている情報（コンテンツ情報であるか更新情報であるか）の内容を判断するための情報取得し、取得された情報に基づいて、装填されたディスクが、更新用記録媒体としてのＣＤ−Ｒ４２であるか否かを判定する。装填されたディスクが、更新用記録媒体としてのＣＤ−Ｒ４２であった場合、処理はステップＳ１０２へ進む。装填されたディスクが、更新用記録媒体としてのＣＤ−Ｒ４２でなかった場合、処理は図９に示す再生処理へ進む。
【００４５】
ステップＳ１０２では、装填されたＣＤ−Ｒ４２から読み出された更新情報に一致する更新情報が既にＨＤＤ１３に記録されているか否かが判定される。更新情報判定部３１は、ＣＤ−Ｒ４２から読み出された更新情報に関連付けられた識別情報を用いてＨＤＤ１３に既に記録されている更新情報（フォルダ）を検索することで、同一の更新情報が既にＨＤＤ１３に記録されているか否かを判定する。対応するコンテンツが一致する更新情報がＨＤＤ１３に記録済みであると判定された場合、処理はステップＳ１０３へ進む。一致する更新情報がＨＤＤ１３に記録されていないと判定された場合、処理はステップＳ１０４へ進む。
【００４６】
ステップＳ１０３では、ＨＤＤ１３に記録されている更新情報が、ＣＤ−Ｒ４２から読み出された更新情報で置き換えられる。更新情報記録部２９は、ステップＳ１０２において、ＨＤＤ１３に記録されている更新情報と、装填されたＣＤ−Ｒ４２に記録されている更新情報とが同一のコンテンツ（またはＢＤ４１）に対応していると判定された場合、ＨＤＤ１３に記録されている更新情報を、ＣＤ−Ｒ４２から読み出された更新情報で置き換えることで、更新情報を更新する。なお、更新情報の置き換えは、上書きによって行われてもよいが、新たな更新情報を追加し、古い更新情報が使用されないようにすることで行われてもよい。
【００４７】
なお、同一のコンテンツに適用される更新情報であっても、リリースの日時情報を比較して、ＣＤ−Ｒ４２から読み出された更新情報が、ＨＤＤ１３に既に記録されている更新情報よりもリリースが新しい場合にのみ、更新情報の置き換えが実行されることとしてもよい。即ち、この場合、更新情報記録部２９は、更新情報判定部３１によって対応する更新情報がＨＤＤ１３に既に記録されていると判定され、且つＣＤ−Ｒ４２に記録されている更新情報が、ＨＤＤ１３に既に記録されている更新情報よりも新しい更新情報である場合に、ＣＤ−Ｒ４２から読み出された更新情報で、ＨＤＤ１３に既に記録されている更新情報を置き換えるように記録する。更新情報の新旧比較は、例えば、識別情報に、対応するコンテンツを特定するための識別子の他に、該更新情報がリリースされた日時情報を含ませることで可能である。
【００４８】
ステップＳ１０４では、ＣＤ−Ｒ４２から読み出された更新情報が、ＨＤＤ１３に追加される。更新情報記録部２９は、ステップＳ１０２において、装填されたＣＤ−Ｒ４２に記録されている更新情報が対応しているコンテンツ（またはＢＤ４１）に係る更新情報がＨＤＤ１３に記録されていないと判定された場合、マルチドライブ４によってＣＤ−Ｒ４２から読み出された更新情報を、ＨＤＤ１３に記録する。
【００４９】
更新情報の追加または置き換えが完了すると、本フローチャートに示された処理は終了する。本フローチャートに示された処理によれば、ネットワーク環境を備えないコンテンツ再生制御システム１においても、ＢＤ４１の再生に用いられるマルチドライブ４１を利用して、予め更新情報をＨＤＤ１３に記録しておき、ＢＤ４１の再生時に更新を反映させることが出来る。本実施形態に係るコンテンツ再生制御システム１では、コンテンツ情報
をＢＤ４１から読み出すためのディスクドライブが、コンテンツ再生制御システムには必ず備えられていることに着目して、このディスクドライブを、更新情報をコンテンツ再生制御システム１に取り込むための経路として利用している。
【００５０】
図９は、本実施形態に係る、再生処理の流れを示すフローチャートである。本フローチャートに示された処理は、図８のフローチャートに示された処理において、マルチドライブ４に装填されたディスクが更新用記録媒体でないと判定されたこと（ステップＳ１０１を参照）を契機として開始される。なお、本発明に係る処理の順序は、実施の形態に応じて適宜組み合わせを変更することが可能であり、処理順序は、以下に示された例に限られない。
【００５１】
ステップＳ２０１では、装填されたディスクの種類が判定される。ディスク判定部２１は、マルチドライブ４から、装填されたディスクの種別、およびディスクに記録されている情報（コンテンツ情報であるか更新情報であるか）の内容を判断するための情報を取得し、取得された情報に基づいて、装填されたディスクが、再生用記録媒体としてのＢＤ４１であるか否かを判定する。装填されたディスクが、再生用記録媒体としてのＢＤ４１であった場合、処理はステップＳ２０２へ進む。装填されたディスクが、その他のディスクであった場合、処理はステップＳ２１１へ進む。
【００５２】
ステップＳ２１１では、ディスク種別に応じた処理が実行される。例えば、マルチドライブ４に装填されたディスクがコンテンツ情報を含むＤＶＤであった場合、ＤＶＤ再生制御部２４は、マルチドライブ４によってＤＶＤから読み出されたコンテンツ情報に基づくコンテンツの再生を制御し、装填されたディスクがコンテンツ情報を含むＣＤであった場合、ＣＤ再生制御部２５は、マルチドライブ４によってＣＤから読み出されたコンテンツ情報に基づくコンテンツの再生を制御する。コンテンツの再生制御は、ユーザ操作等に基づく停止指示が受け付けられるか、再生位置がコンテンツの終端に達するまで継続される。その後、本フローチャートに示された処理は終了する。
【００５３】
ステップＳ２０２では、装填されたＢＤ４１に記録されたコンテンツ情報に対応する更新情報が既にＨＤＤ１３に記録されているか否かが判定される。更新部２２は、ＢＤ４１から読み出された、ＢＤ４１に記録されたコンテンツ情報の識別情報を用いてＨＤＤ１３に既に記録されている更新情報を検索することで、ＢＤ４１に記録されたコンテンツ情報に対応する更新情報が既にＨＤＤ１３に記録されているか否かを判定する。対応する更新情報がＨＤＤ１３に記録済みであると判定された場合、処理はステップＳ２０３へ進む。対応する更新情報がＨＤＤ１３に記録されていないと判定された場合、処理はステップＳ２０４へ進む。
【００５４】
ステップＳ２０３では、更新コンテンツの再生制御が行われる。更新部２２は、ステップＳ２０２で索出された更新情報（該当する識別情報が付されたフォルダに格納された情報）を用いて、ＢＤ４１から読み出されたコンテンツ情報を更新する。より具体的には、更新部２２は、更新情報に含まれる、コンテンツの更新に必要な、映像、音声、字幕等の情報を含む情報ファイルを、結合ルール記述ファイルに記述された結合ルールに従ってコンテンツ情報に反映させることで、コンテンツ情報の更新を行う。そして、ＢＤ再生制御部２３は、更新部２２によって更新されたコンテンツ情報に基づいて、コンテンツの再生制御を行う。コンテンツの再生制御は、ユーザ操作等に基づく停止指示が受け付けられるか、再生位置がコンテンツの終端に達するまで継続される。その後、本フローチャートに示された処理は終了する。
【００５５】
ステップＳ２０４では、コンテンツの再生制御が行われる。ＢＤ再生制御部２３は、ＢＤ４１から読み出されたコンテンツ情報に基づいて、コンテンツの再生制御を行う。即ち
、本実施形態では、再生対象のコンテンツ情報に対応する更新情報がＨＤＤ１３に記録されていない場合、ＢＤ４１から読み出されたコンテンツ情報に直接基づいてコンテンツの再生制御が行われる。コンテンツの再生制御は、ユーザ操作等に基づく停止指示が受け付けられるか、再生位置がコンテンツの終端に達するまで継続される。その後、本フローチャートに示された処理は終了する。
【００５６】
本実施形態に係るコンテンツ再生制御システム１によれば、図８を用いて説明した更新情報記録処理によって予めＨＤＤ１３に記録されている更新情報を用いて、ＢＤ４１の再生時に更新が反映されたコンテンツを再生することが出来る。例えば、本実施形態に係るコンテンツ再生制御システム１によれば、ＢＳ４１に記録されているコンテンツ情報に含まれる字幕情報が、英語および日本語のみであるような場合でも、更新情報を用いて中国語の字幕情報を追加して再生することが出来る。
【００５７】
なお、図８に示したフローチャートでは、更新情報がＨＤＤ１３に自動的に記録される処理について説明したが、更新情報の記録に際して、対象とする更新情報をユーザに選択させることとしてもよい。
【００５８】
図１０は、図８のフローチャートに示された処理に代えて実行されてよい、本実施形態に係る更新情報記録処理の流れを示すフローチャートである。本フローチャートに示された処理は、装填／排出検知部３４によってマルチドライブ４へのディスク装填が検知されたことを契機として開始される。なお、本発明に係る処理の順序は、実施の形態に応じて適宜組み合わせを変更することが可能であり、処理順序は、以下に示された例に限られない。
【００５９】
ステップＳ３０１では、装填されたディスクの種類が判定される。処理の詳細は、図８を用いて説明したステップＳ１０１の処理と概略同様であるため、説明を省略する。装填されたディスクが、更新用記録媒体としてのＣＤ−Ｒ４２であった場合、処理はステップＳ３０２へ進む。装填されたディスクが、更新用記録媒体としてのＣＤ−Ｒ４２でなかった場合、処理は図９に示す再生処理へ進む。
【００６０】
ステップＳ３０２では、更新情報のリストが表示される。更新情報一覧出力部３２は、ＣＤ−Ｒ４２に記録されている更新情報のリスト、およびＨＤＤ１３に既に記録されている更新情報のリストを作成し、タッチパネルディスプレイ２へ出力する。更新情報リストの出力を受け付けたタッチパネルディスプレイ２は、リストをユーザに対して視認可能に表示出力する。その後、処理はステップＳ３０３へ進む。
【００６１】
但し、更新情報一覧出力部３２によって出力されるリストは、ＣＤ−Ｒ４２に記録されている更新情報のリスト、およびＨＤＤ１３に既に記録されている更新情報のリストの両方ではなく、ＣＤ−Ｒ４２に記録されている更新情報のリスト、およびＨＤＤ１３に既に記録されている更新情報のリストの何れか一方のリストのみであってもよい。また、ＨＤＤ１３に既に記録されている更新情報のリストは、新たな更新情報による置き換えの対象となる更新情報を指定させるためのリストであるため、更新情報一覧出力部３２は、出力するリストに、ＨＤＤ１３に既に記録されている更新情報の全てを含めるのではなく、ＨＤＤ１３に記録されている更新情報のうち、マルチドライブ４に装填されているＣＤ−Ｒ４２に対応する更新情報が記録されているもののみ（即ち、置き換えの対象となり得る更新情報）を含めることとしてもよい。
【００６２】
ステップＳ３０３では、ユーザによる選択が受け付けられる。選択情報受付部３３は、ステップＳ３０２で出力されたリストに含まれる更新情報をユーザが選択する操作、例えば、タッチパネルディスプレイ２において、ユーザが所望する更新情報が表示されている
領域にユーザが触れる操作が行われたことを検知することでユーザの選択を受け付け、ユーザがＨＤＤ１３への記録または置き換えを所望する更新情報を特定する。ここで、ユーザは、ＣＤ−Ｒ４２に記録されている更新情報、およびＨＤＤ１３に既に記録されている更新情報の何れを選択してもよい。その後、処理はステップＳ３０４へ進む。
【００６３】
ステップＳ３０４では、ユーザの選択結果に基づいて、更新情報が記録される。更新情報記録部２９は、ステップＳ３０３で特定された更新情報を、マルチドライブ４によってＣＤ−Ｒ４２から読み出し、ＨＤＤ１３に記録する。この際、ＨＤＤ１３への記録の対象となる更新情報、またはＨＤＤ１３において上書きされる旧更新情報は、ステップＳ３０３において受け付けられたユーザ操作に基づいて特定された更新情報である。即ち、ステップＳ３０４に示された処理では、ユーザがＣＤ−Ｒ４２に記録されている更新情報のリストから特定の更新情報を選択した場合には、この選択された更新情報をＨＤＤ１３に記録する（なお、既に同一識別情報に係る更新情報がＨＤＤ１３に記録されている場合には、既にＨＤＤ１３に記録されている更新情報が、新たな更新情報で置き換えられる）。また、ユーザがＨＤＤ１３に既に記録されている更新情報のリストから特定の更新情報を選択した場合には、この選択された更新情報が、ＣＤ−Ｒ４２から読み出された対応する新たな更新情報で置き換えられる。
【００６４】
本フローチャートに示された処理によれば、ＨＤＤ１３への更新情報の記録において、ユーザの意思を反映させることが可能となる。即ち、ユーザがＨＤＤ１３に記録したい更新情報のみを選択して記録可能とすることで、更新されることをユーザが望まないコンテンツに対してまで、自動的に更新内容が反映されてしまうことを防止することが可能である。
【符号の説明】
【００６５】
１  コンテンツ再生制御システム
２  タッチパネルディスプレイ
４  マルチドライブ
１１  ＣＰＵ（Ｃｅｎｔｒａｌ  Ｐｒｏｃｅｓｓｉｎｇ  Ｕｎｉｔ）
１２  ＲＡＭ（Ｒａｎｄｏｍ  Ａｃｃｅｓｓ  Ｍｅｍｏｒｙ）
１３  ＨＤＤ（Ｈａｒｄ  Ｄｉｓｋ  Ｄｒｉｖｅ）
２２  更新部
２３  ＢＤ再生制御部
２９  更新情報記録部
３１  更新情報判定部
３２  更新情報一覧出力部
３３  選択情報受付部
４１  ＢＤ（Ｂｌｕ−ｒａｙ  Ｄｉｓｃ）
４２  ＣＤ−Ｒ（Ｃｏｍｐａｃｔ  Ｄｉｓｃ−Ｒｅｃｏｒｄａｂｌｅ）
【図１】
2010244654.tif 000003
【図２】
2010244654.tif 000004
【図３】
2010244654.tif 000005
【図４】
2010244654.tif 000006
【図５】
2010244654.tif 000007
【図６】
2010244654.tif 000008
【図７】
2010244654.tif 000009
【図８】
2010244654.tif 000010
【図９】
2010244654.tif 000011
【図１０】
2010244654.tif 000012